(57)【要約】【課題】金属等が空気袋に引っかかることによるケガを防止しつつ、空気袋の破損を防止する。【解決手段】血圧計は、金属を検知する金属検知手段と、金属検知手段によって金属が検知された場合、警告を通知する通知手段とを備えることを特徴とする。【選択図】図１
2020039445.tif 000002
【特許請求の範囲】
【請求項１】
金属を検知する金属検知手段と、
前記金属検知手段によって前記金属が検知された場合、警告を通知する通知手段と
を備えた血圧計。
【請求項２】
金属と人体を検知する検知手段と、
前記検知手段によって前記金属が検知された場合、警告を通知する通知手段と
を備え、
電源が投入された時に、前記検知手段によって前記人体を検知した場合、前記通知手段は警告を通知することを特徴とする血圧計。
【請求項３】
前記検知手段によって金属が検知されず、かつ、前記検知手段によって人体が検知された場合、前記血圧計の測定が開始されることを特徴とする請求項２に記載の血圧計。
【請求項４】
更に、
前記血圧計の測定が終了してから所定期間が経過したか否かを判定する判定手段と、
を備え、
前記判定手段によって所定期間が経過したと判定されると、測定結果を出力する
ことを特徴とする請求項１乃至３に記載の血圧計。
【請求項５】
金属を検知する金属検知ステップと、
前記金属検知ステップによって前記金属が検知された場合、警告を通知する通知ステップと
を備えた血圧計の作動方法。
【請求項６】
金属と人体を検知する検知ステップと、
前記検知ステップによって前記金属が検知された場合、警告を通知する通知ステップと
を備え、
電源が投入された時に、前記検知ステップによって前記人体を検知した場合、前記通知ステップは警告を通知することを特徴とする血圧計の作動方法。
【発明の詳細な説明】
【技術分野】
【０００１】
本発明は、血圧計及びその作動方法に関する。
【背景技術】
【０００２】
近年、自動的に血圧を測定することができる血圧測定装置は、一般家庭や公衆の場に広く普及し、健康管理の一環として利用されている。このように医療機関においてのみならず、一般の人が利用しやすい装置として、様々な血圧測定装置が提案されている。
【０００３】
アームイン式の血圧計では、上腕を挿入して所定のボタン操作をするだけで自動的に血圧を計測できる。血圧値は、一般的に空気袋の減圧にともなって最高血圧及び最低血圧の順に求められる。最低血圧は通常は３０ｍｍＨｇ以上であって、該最低血圧が求められる段階においては、空気袋はこの圧力で加圧されている。その後、バルブを開放することによって空気袋はある程度収縮されるが、十分に減圧されていない段階でユーザが上腕を抜こうとすると、空気袋に無駄な負荷が加わり、空気袋が破損し血圧計が壊れてしまう。そこで、特許文献１には、空気袋に無駄な負荷がかかることを防止するために、空気袋の圧力が所定圧力以下になったときに、血圧値を表示部に表示する血圧計が開示されている。
【先行技術文献】
【特許文献】
【０００４】
【特許文献１】特開２０１０−２２０９６６号公報
【発明の概要】
【発明が解決しようとする課題】
【０００５】
ユーザは腕時計・アクセサリなど（以下、金属等）を腕につけたまま血圧を測定する場合がある。血圧を測定後に、金属等を腕につけたまま腕を抜くと、空気袋に金属等が引っかかり空気袋が破れ血圧計が壊れてしまう。また、金属等を腕につけたまま腕を抜くと、金属等が血圧計の空気袋に引っかかり腕にケガをしてしまう。しかしながら、特許文献１は、金属等を腕につけて血圧を測定することを考慮していない。
【０００６】
そこで、本発明は、金属等が空気袋に引っかかることによるケガを防止しつつ、空気袋の破損を防止することを目的とする。
【課題を解決するための手段】
【０００７】
本発明は、たとえば、血圧計であって、金属を検知する金属検知手段と、金属検知手段によって金属が検知された場合、警告を通知する通知手段とを備えることを特徴とする。
【発明の効果】
【０００８】
本発明によれば、金属等が空気袋に引っかかることによるケガを防止しつつ、空気袋の破損を防止することができる。
【図面の簡単な説明】
【０００９】
【図１】第一の実施形態に係る血圧計の斜視図である。
【図２】第一の実施形態に係る血圧計のブロック構成図である。
【図３】第一の実施形態に係る血圧計の作動方法の手順を示すフローチャートである。
【図４】第一の実施形態に係る表示画面の一例を示す図である。
【図５】第一の実施形態に係る近接センサの回路構成を示すブロック図である。
【図６】第一の実施形態に係る近接センサの発振部の周波数を変化させた周波数−反射波レベル特性を示す図である。
【図７】第二の実施形態に係る血圧計の作動方法の手順を示すフローチャートである。
【発明を実施するための形態】
【００１０】
以下、添付図面を参照し、本発明の好適な実施形態について説明する。ただし、この実施形態に記載されている構成要素はあくまでも例示であり、本発明の範囲をそれらのみに限定する趣旨のものではない。また、実施形態で説明されている特徴の組み合わせの全てが発明の解決手段に必須のものとは限らない。
【００１１】
［第一の実施形態］
以下、本発明に係る血圧計及びその作動方法について実施の形態を挙げ、添付の図１〜図４を参照しながら説明する。
【００１２】
図１は、本発明の実施形態に係る血圧計の斜視図である。図１に示すように、本実施の形態における血圧計１００は、机等の載置台に載置される本体部１１０と、被験者の上腕が挿入される中空開口部１５０を有する生体挿入部１４０とを備えている。
【００１３】
本体部１１０の上面の所定位置には、被験者が測定姿勢をとった際に肘を載置するための肘置き１１９、腕をのせるためのアームレスト１１２が設けられている。
【００１４】
生体挿入部１４０の上面には、被験者からの指示を受付けるための操作部１１４と、測定結果や操作ガイド等を表示するための表示部１１６が配置されている。操作部１１４は、電源の投入に用いられる電源ボタン、測定動作を開始させるための測定ボタン、表示部１１６の操作を行なうボタンなどを含む。
【００１５】
生体挿入部１４０は、内周面上に配置されたカフ１４６と、カフ１４６を覆うように取付けられたカフカバー（不図示）とを備える。また、生体挿入部１４０には、測定結果等を紙媒体に印刷するためのプリント部１６２を備える。
【００１６】
また、生体挿入部１４０には、近接センサ（検知手段）１６０が配置されている。本実施の形態では、近接センサ１６０は、たとえば、中空開口部１５０の開口付近の位置に配置される。なお、近接センサは、金属を検知できるものであればよく、例えば、金属検知センサでもよい。
【００１７】
近接センサ１６０は、周波数や電圧を変化させることにより、金属等（腕時計、アクセサリーなど）が付けられた腕が挿入されたのか、腕だけが挿入されたのか、何も挿入されていないのかを判断することができる。
【００１８】
近接センサ１６０は、人体近接センサが一例として使用される。図５に示されるように、複数の周波数の高周波信号を発振する発振部１と、この発振部１からの高周波信号を受けるセンサ部２と、センサ部２で反射してくる反射波のレベルあるいはＳＷＲ等を検知する検知部３と、制御部４と、判定部５とを備えている。制御部４及び判定部５は、具体的には信号増幅器、比較器であってもよいし、Ａ／Ｄ変換器及びＣＰＵ等で実現されるものであってもよい。センサ部２は、検知コイル２ａを含み、共振回路を有する。制御部４は、検知部３の出力を取り込むとともに、発振部１の周波数を、発振部１がバリキャップを含む場合、あるいはＰＬＬである場合、それぞれを制御して、発振部の高周波信号の周波数をスキャニングする機能を備えている。図６は、人体近接センサの発振部の周波数を変化させた周波数―反射波レベル特性を示す図である。図６に示されるように、発振部１の高周波信号の周波数を０．２ＭＨＺから４ＭＨＺまで逐次スキャンさせると、検知部３の反射波レベルの変化は、検知コイル２ａの近傍に存在する物質により変化する。腕やアルミ（金属）の場合で、共振周波数が異なる為、近接センサ１６０は、腕（人体）、金属等の有無を判断することができる。
【００１９】
なお、近接センサ１６０の配置位置は、金属等（腕時計、アクセサリーなど）が付けられた腕が挿入されたのか、腕だけが挿入されたのか、何も挿入されていないのかを判断できればこのような位置に限定されない。たとえば、本体部１１０に、近接センサ１６０を配置してもよい。
【００２０】
また、近接センサ１６０は、たとえば高周波を利用した近接センサであるものとするが、
金属等（腕時計、アクセサリーなど）が付けられた腕が挿入されたのか、腕だけが挿入されたのか、何も挿入されていないのかを検出できれば、特に限定されない。
【００２１】
なお、本実施の形態では、血圧計１００は、図１に示されるように据え置き型であるものとするが、携帯型であってもよい。
【００２２】
図２は、本発明の実施形態に係る血圧計のブロック構成図である。図２に示すように、血圧計１００は、上述した操作部１１４、表示部１１６および近接センサ１６０に加え、カフ１４６に内蔵されている空気袋１５２と、空気袋１５２の内腔の圧力（以下「カフ圧」という）を検知する圧力センサ１２３と、圧力センサ１２３により検出された信号を増幅するための増幅器１２６と、増幅されたアナログ信号をデジタル信号に変換するためのＡ／Ｄコンバータ１２７と、カフ圧のレベルを調整するためのエアポンプ１２１およびエアバルブ１２２と、エアポンプ１２１を駆動するエアポンプ駆動回路１２４と、エアバルブ１２２の開閉度合を調整するためのエアバルブ駆動回路１２５と、各部を集中的に制御および監視するためのＣＰＵ（Central Processing Unit）１２８と、各種データおよびプログラムが格納されるメモリ１２９と、計時動作して計時データを出力するタイマ１３０と、電源部１３２と、音声を出力するための音声出力部１１８と、測定結果等を紙媒体に印刷するためのプリント部１６２とを備える。
【００２３】
上述のように、空気袋１５２は、エアポンプ１２１と、エアバルブ１２２と、圧力センサ１２３とを含むエア系１２０に、エアチューブ１５４によって接続されている。
【００２４】
ＣＰＵ１２８は、Ａ／Ｄコンバータ１２７、エアポンプ駆動回路１２４、エアバルブ駆動回路１２５、メモリ１２９、表示部１１６、操作部１１４、タイマ１３０、電源部１３２、近接センサ１６０、プリント部１６２と接続されている。
【００２５】
空気袋１５２と、エアポンプ１２１、エアバルブ１２２および圧力センサ１２３とは、フレキシブルなエアチューブによって接続されている。また、操作部１１４，表示部１１６，音声出力部１１８，近接センサ１６０とＣＰＵ１２８とは、フレキシブルな信号線によって接続されている。
【００２６】
なお、血圧計１００は、警告音等を発するためのブザーをさらに備えてもよく、ブザーは通知手段として機能してもよい。
【００２７】
次に、図３を用いて、本実施の形態に係る血圧計１０の作動方法について説明する。図３は、本発明の実施の形態における血圧計１００においてたとえば電源が投入された場合に実行される血圧測定・出力処理を示すフローチャートである。なお、図３のフローチャートに示す処理は、予めプログラムとしてメモリ１２９に格納されており、ＣＰＵ１２８がこのプログラムを読出して実行することにより血圧測定・出力処理の機能が実現される。
【００２８】
図３を参照して、電源が投入されると、ＣＰＵ１２８は、近接センサ１６０からの信号に基づいて、腕を検知したか否かを判定する（ステップＳ３０１）。腕を検知したか否かを判定することで、血圧計の電源投入時に腕は挿入されていない状態であるのか、電源投入前に既に腕が挿入されている状態であるのかを判断することができる。
【００２９】
検知されていないと判定された場合（ステップＳ３０１のＮＯ）、ＣＰＵ１２８は、近接センサ１６０からの信号に基づいて、金属が検知されたか否かを判定する（ステップＳ３０２）。
【００３０】
金属が検知されたと判定された場合（ステップＳ３０２のＹＥＳ）、ＣＰＵ１２８は、例えば、「時計を外して下さい」というようなメッセージを表示部１１６に表示し、ステップＳ３０３にて、金属を外すようユーザに警告を通知して（通知手段）、ステップＳ３０２に戻る。なお、ステップＳ３０２のＹＥＳにて、金属が検知されたと判定された場合、ユーザが血圧計に腕を挿入する際に、金属が検出されたことを示す。
【００３１】
金属が検知されていないと判定された場合（ステップＳ３０２のＮＯ）、ＣＰＵ１２８は、近接センサ１６０からの信号に基づいて、腕が検知されたか否かを判定する（ステップＳ３０４）。
【００３２】
腕が検知されていないと判定された場合（ステップＳ３０４のＮＯ）、ステップＳ３０２に戻る。腕が検知されたと判定された場合（ステップＳ３０４のＹＥＳ）、ＣＰＵ１２８は、ユーザにより測定開始の指示が入力されたか否かを判断する（ステップＳ３０５）。具体的には、操作部１１４に含まれる測定ボタンが押下されたか否かを判断する。
【００３３】
ユーザにより測定開始の指示が入力されると（ステップＳ３０５のＹＥＳ）、血圧の測定処理に移行する。ＣＰＵ１２８は、エアポンプ駆動回路１２４を駆動開始し、カフ圧を徐々に上昇させる加圧処理を行なう（ステップＳ３０６）。徐々に加圧する過程において、血圧測定のための所定レベルにまでカフ圧が達すると、ＣＰＵ１２８は、エアポンプ駆動回路１２４を停止する。
【００３４】
次に、ＣＰＵ１２８は、エアバルブ駆動回路１２５を制御することによりカフ圧を徐々に減圧させ（ステップＳ３０７）、公知の手法により血圧（最高血圧、最低血圧）および脈拍数を算出する（ステップＳ３０８）。具体的には、カフ圧が徐々に減圧する過程において、ＣＰＵ１２８は、Ａ／Ｄコンバータ１２７から得られる信号に基づき脈波情報を抽出する。そして、抽出された脈波情報により血圧を算出する。
【００３５】
なお、本実施の形態ではカフ圧の微速減圧過程において血圧を測定することとしたが、カフ圧の加圧過程において血圧を測定することとしてもよい。
【００３６】
血圧の測定が終了すると、ＣＰＵ１２８は、タイマ１３０を用いて、血圧の測定が終了してから、所定期間（例えば、５秒）が経過したか否かを判定する（ステップＳ３０９）。所定期間が経過したと判定した場合（ステップＳ３０９のＹＥＳ）、ＣＰＵ１２８は、図４（Ｂ）に示すような測定結果（最高血圧、最低血圧および脈拍数）を表示部１１６に表示する（ステップＳ３１０）。なお、所定期間が経過するまでは、ＣＰＵ１２８は、図４（Ａ）に示すような表示を表示部１１６に表示してもよい。
【００３７】
ユーザは、測定結果が表示されると、十分に減圧していないにもかかわらず、上腕を抜いてしまう傾向にある。そこで、血圧の測定が終了してから所定期間が経過した後に、測定結果を表示することにより、より空気袋の破損を防止することができる。
【００３８】
次に、ＣＰＵ１２８は、プリント部１６２から測定結果を印刷する（ステップＳ３１１）。
【００３９】
ＣＰＵ１２８は、ステップＳ３０１にて腕を検知したと判定された場合（ステップＳ３０１のＹＥＳ）、ステップＳ３１２にて、例えば、「一度腕を抜いてから再度腕を挿入して下さい」というようなメッセージを表示部１１６に表示し、ユーザに一度腕を抜くよう警告を通知する（通知手段）。
【００４０】
なお、ステップＳ３０３、およびステップＳ３１２において、表示とともに／または代えて、音声出力部１１８により上述したメッセージを音声出力してユーザに警告を通知してもよい。あるいは、ブザーにて警告音を発するようにして通知してもよい。
【００４１】
ＣＰＵ１２８は、近接センサ１６０からの信号に基づいて、腕が抜かれたか否かを判定する（ステップＳ３１３）。腕が抜かれたと判定された場合（ステップＳ３１３のＹＥＳ）、ステップＳ３０２に戻る。
【００４２】
腕が検知されたか否かの判定（ステップＳ３０１）や、腕が抜かれたか否かの判定（ステップＳ３１３）を行うことにより、電源が投入される前（近接センサ１６０が作動する前）に、金属等を腕につけたまま腕を血圧計に挿入されていたとしても、金属等を腕につけたまま測定を行うことを防止することができる。
【００４３】
本実施形によれば、血圧計１００に近接センサ１６０を備えることで、金属等（腕時計、アクセサリーなど）が付けられた腕が挿入されたかどうかを判断することができ、金属等が空気袋に引っかかることによるケガを防止しつつ、空気袋の破損を防止することができる。
【００４４】
［第二の実施形態］
第一の実施形態では、近接センサ１６０は中空開口部１５０の開口付近の位置に配置されていたが、本実施形態の近接センサ１６０は、アームレスト１１２付近の位置に配置されている場合について説明する。
【００４５】
このような場合に、本実施の形態に係る血圧計１０の作動方法について図７を用いて説明する。図７は、本発明の実施の形態における血圧計１００において、たとえば電源が投入された場合に実行される血圧測定・出力処理を示すフローチャートである。なお、図７のフローチャートにおいて図３にて示した処理ステップと同じ処理ステップには同じステップ番号を付しており、この処理ステップに係る説明は省略する。
【００４６】
電源が投入されると、ＣＰＵ１２８は、近接センサ１６０からの信号に基づいて、金属が検知されたか否かを判定する（ステップＳ７０１）。
【００４７】
金属が検知されたと判定された場合（ステップＳ７０１のＹＥＳ）、ＣＰＵ１２８は、例えば、「時計を外して下さい」というようなメッセージを表示部１１６に表示し、ステップＳ７０２にて、金属を外すようユーザに警告を通知して（通知手段）、ステップＳ７０１に戻る。金属が検知されていないと判定された場合（ステップＳ７０１のＮＯ）、ステップＳ３０４以降の処理を実行する。
【００４８】
本実施形態によれば、アームレスト１１２付近に近接センサ１６０を備えることで、金属等（腕時計、アクセサリーなど）が付けられた腕が挿入されたかどうかを判断することができ、金属等が空気袋に引っかかることによるケガを防止しつつ、空気袋の破損を防止することができる。
【図１】
2020039445.tif 000003
【図２】
2020039445.tif 000004
【図３】
2020039445.tif 000005
【図４】
2020039445.tif 000006
【図５】
2020039445.tif 000007
【図６】
2020039445.tif 000008
【図７】
2020039445.tif 000009